(57)【要約】  再使用可能な外側カバー用の大容量使い捨て吸収性インサート。
2013532518.tif 000002
【特許請求の範囲】
【請求項１】
再使用可能な外側カバー（図１、図２Ａ、図２Ｂの＃２０）と共に使用するように構成された使い捨て吸収性インサート（図３と図４の＃５０）であって、
前記吸収性インサートは、
遠心分離保持能力（Centrifuge Retention Capacity）試験により測定されたインサート吸収能力と、
吸収性インサート質量と、
前記吸収性インサート質量に対する前記インサート吸収能力の比率として定義された統合インサート吸収能力と、
を備え、
前記統合インサート吸収能力は、少なくとも８グラム／グラムであることを特徴とする、使い捨て吸収性インサート。
【請求項２】
前記統合インサート吸収能力は、少なくとも９グラム／グラムである、請求項１に記載の使い捨て吸収性インサート。
【請求項３】
前記統合インサート吸収能力は、少なくとも１０グラム／グラムである、請求項１に記載の使い捨て吸収性インサート。
【請求項４】
前記インサート吸収能力は、少なくとも２００グラムである、請求項１〜３のいずれか一項に記載の使い捨て吸収性インサート。
【請求項５】
前記インサート吸収能力は、少なくとも２５０グラムである、請求項１〜４のいずれか一項に記載の使い捨て吸収性インサート。
【請求項６】
前記インサート吸収能力は、少なくとも３００グラムである、請求項１〜５のいずれか一項に記載の使い捨て吸収性インサート。
【請求項７】
前記吸収性インサート質量は、５０グラム未満である、請求項１〜６のいずれか一項に記載の使い捨て吸収性インサート。
【請求項８】
前記吸収性インサート質量は、４０グラム未満である、請求項１〜７のいずれか一項に記載の使い捨て吸収性インサート。
【請求項９】
前記吸収性インサート質量は、３０グラム未満である、請求項１〜８のいずれか一項に記載の使い捨て吸収性インサート。
【請求項１０】
バリアレッグカフを備えた、請求項１〜９のいずれか一項に記載の使い捨て吸収性インサート。
【請求項１１】
液体非透過性バックシートを備えた、請求項１〜１０のいずれか一項に記載の使い捨て吸収性インサート。
【請求項１２】
請求項１〜１１のいずれか一項に記載の使い捨て吸収性インサートと、再使用可能な外側カバー（図１、図２Ａ、図２Ｂの＃２０）と、を備えた吸収性物品（図１の＃１０）であって、
前記再使用可能な外側カバーは、
遠心分離保持能力（Centrifuge Retention Capacity）試験により測定された外側カバー吸収能力と、
外側カバー質量と、
前記外側カバー質量に対する前記外側カバー吸収能力の比率として定義された統合外側カバー吸収能力と、
を有しており、
前記統合外側カバー吸収能力は、少なくとも１グラム／グラムであることを特徴とする、吸収性物品。
【請求項１３】
前記統合外側カバー吸収能力は、少なくとも１．５グラム／グラムである、請求項１２に記載の吸収性物品。
【請求項１４】
前記外側カバー吸収能力は、少なくとも４０グラムである、請求項１２又は１３に記載の吸収性物品。
【請求項１５】
前記外側カバー質量は、５０グラム未満である、請求項１２〜１４のいずれか一項に記載の吸収性物品。
【発明の詳細な説明】
【技術分野】
【０００１】
本発明は、一般に、おむつの分野に関し、より詳細には、再使用可能な外側カバーと共に使用するための大容量使い捨て吸収性インサートに関する。
【背景技術】
【０００２】
再使用可能な外側カバーを含むおむつの幾つかの設計が、製造され販売されている。しかしながら、そのような設計は、小容量吸収性インサートを備える。
【図面の簡単な説明】
【０００３】
【図１】着用者により下部胴体の周りに着用されて示されている、着用可能な吸収性物品の斜視図。
【図２Ａ】外面が見る人に面している、開かれかつ平らにされた外側カバーの平面。
【図２Ｂ】内表面が見る人に面している、開かれかつ平らにされた外側カバーの平面図。
【図３】自立した弛緩状態で示されている、外側カバーから切り離されて示されている使い捨て吸収性インサートの斜視図。
【図４】身体に面する面が見る人に面している、延伸され平らにされて示されている使い捨て吸収性インサートの平面図。
【発明を実施するための形態】
【０００４】
定義
この説明の目的上、以下の用語は、次に記載の意味を有するものとする。
【０００５】
「吸収性インサート」及び「インサート」とは、尿、糞便、経血又はこれらの任意の組み合わせを収容及び／又は吸収するように適合され、かつ構成部分単位として外側カバーに設置可能及び外側カバーから取り外し可能であるように適合された、着用可能吸収性物品の構成要素を意味する。本明細書において、吸収性インサートは「吸収性組立体」と呼ばれることもできる。用語「吸収性インサート」、「インサート」、及び「吸収性組立体」は、本明細書では互換可能に使用され得る。
【０００６】
「シャーシ」とは、着用者の下部胴体の周りに着用されるように適合され、かつ吸収性インサートを支持して、インサートを着用者の身体の近くに保持するように適合された、着用可能な吸収性物品の構成要素を意味する。本明細書では、シャーシは「外側カバー」と呼ばれることもできる。用語「外側カバー」及び「シャーシ」は、本明細書の目的上、互換可能である。
【０００７】
「使い捨て」とは、吸収性インサートについて言及する場合、吸収性インサートが、通常の家庭での洗濯プロセス及び通常の住宅設備で効果的に衛生的に洗濯されるように適合又は意図されておらず、したがって通常は、排出物により汚れて外側カバーから取り外された後に、新品同様の意図された機能及び性能を提供するために、衛生的かつ効果的に再使用するのに好適でないことを意味する。非限定的な例として：再使用の際に新品同様に有効となるように通常の家庭での洗濯及び乾燥を経て、それらの実質的な新品同様の物理的形状又は構造を維持することができない；水性液体を吸収し、再使用の際に新品同様に有効となるように通常の家庭用乾燥装置及び通常の乾燥サイクルで十分に乾燥／脱水されることができない；通常の家庭での洗濯又は乾燥により溶解して又は実質的に分解して、インサートが実質的に損傷を受ける又は役に立たなくなる；及び／又は、通常の洗濯により、再使用のために衛生上又はその他で許容可能となるように排出物質を有効に洗浄することができない、材料及び／又は構成体を含むことにより、効果的な洗濯が失敗させられ又は阻止されて、インサートが使い捨てにされる可能性がある。
【０００８】
「締結構成要素」とは、第１の構造体と第２の構造体の取り外し可能な締結、取り付け、又は保持をもたらすシステムの任意の要素を意味する。このシステムは、単一締結構成要素、例えば、第２の構造体の１種類以上の表面に付着するように適合された第１の構造体上の接着パッチ、若しくはフック、又は第２の構造体の１種類以上の表面を引っかけるように適合された第１の構造体上のフックのパッチ、を備えてもよい。更なる例として、第２の構造体を全て又は一部において捕捉する及び保持するように構成された、第１の構造体上のポケット、ストラップ、フック、バックル等の任意の構造体は、本明細書において使用される「締結構成要素」である。システムはまた、２つ以上の締結構成要素、例えば、フックループ締結システム（例えば、ＶＥＬＣＲＯ）の各要素、凝集剤材料が塗布された各表面、雄型及び雌型スナップ締結構成要素、ボタン及びボタン穴、スロット又はループ、他の締結可能に協働する要素などを含み得る。締結構成要素の他の実施例はジッパー構成要素、「ジップロック」係合構成要素、ループ、ポスト、ポケット、バンド又はストラップ、マイクロ締結具、マクロ締結具、及び米国特許第６，９３６，０３９号、同第６，８９３，３８８号、同第６，６６９，６１８号、同第６，４３２，０９８号、及び同第６，２５１，０９７号、並びに、米国特許出願公開第２００５／０２３４４１９号、同第２００５／０２１５９７１号、同第２００５／０２１５９７０号、同第２００５／０１３０８２１号、同第２００４／００２３７７１号、同第２００３／０２３３０８２号、同第２００３／０１１９６４１号、同第２００３／００８８２２０号、同第２００２／０１６９４３１号に記載される締結構成要素が挙げられる。
【０００９】
「横方向」（及びその文法的変形）とは、着用者に関し、着用者の前部から後部（又は逆もまた同様）に延びる方向と略横断する又は交差する方向に沿っていることを意味する。着用可能な吸収性物品の構成要素に関し、「横方向」（及びその文法的変形）とは、構成要素が着用者の上に適切に位置している場合に着用者の前部から後部（又は逆もまた同様）に構成要素に沿って延びる方向と略横断する又は交差する方向に沿っていることを意味する。
【００１０】
「長手方向」（及びその文法的変形）とは、着用者に関し、着用者の前部から後部（又は逆もまた同様）に概ね延びる方向に沿っていることを意味する。着用可能な吸収性物品の構成要素に関し、「長手方向」（及びその文法的変形）とは、構成要素が着用者の上に適切に位置している場合に着用者の前部から後部（又は逆もまた同様）に構成要素に沿って概ね延びる方向に沿っていることを意味する。
【００１１】
「外側カバー」とは、着用者の下胴部の周りに着用されるように適合され、かつ吸収性インサートを支持して、インサートを着用者の身体の近くに保持するように適合された、着用可能吸収性物品の構成要素を意味する。本明細書において、外側カバーは「シャーシ」と呼ばれることもできる。用語「外側カバー」及び「シャーシ」は、本明細書の目的上、互換可能である。
【００１２】
「再利用可能」とは、外側カバーについて言及する場合、外側カバーの実質的に新品同様の機能性を提供するのに必要な外側カバーのあらゆる構成要素を実質的に破壊することなく、かつ、インサートの交換の後にあらゆる修理又は再構築の必要なく、少なくとも第１のインサートの取り外し、及び少なくとも第２のインサートとの交換を可能にするように適合された外側カバーを意味する。
【００１３】
「使用」とは、外側カバーに関し、吸収性インサートが交換されるまで外側カバーを着用する１つの事象を意味する。
【００１４】
「ユーザー」とは、着用可能な吸収性物品を着用者に適用することができる世話人又はその他の人を意味する。着用者が着用可能な吸収性物品を自分自身に身に着けることができる場合、着用者もまた「ユーザー」である。
【００１５】
「着用者」とは、本明細書に記載の着用可能な吸収性物品を着用することができる人を意味する。
【００１６】
「着用可能な吸収性物品」とは、下部胴体の周りに着用されるように、並びに尿、糞便、経血又はこれらの任意の組み合わせを収容及び／又は吸収するように設計された任意の物品を意味する。「着用可能な吸収性物品」には、（「テープ」締結可能な、別の方法で締結可能な、「プルアップ式」の、又は任意のその他の種類の）乳児又は幼児用おむつ、トレーニングパンツ及び成人用失禁パンツ、ブリーフ等が挙げられるが、これらに限定されない。
【００１７】
二部分からなる着用可能な吸収性物品
図１は、着用者により着用されて示されている、一定の特徴を有する着用可能な吸収性物品１０の例を示す。着用可能吸収性物品１０は、前側腰部縁部２１と、後側腰部縁部２２と、一対の脚部開口部縁部２３と、を備える外側カバー２０を包含してもよい。
【００１８】
図２Ａ及び図２Ｂは、開かれかつ平らにされて示されている外側カバー２０を示している。図２Ａでは、外側カバー２０の外側、即ち、衣類に面する表面が見る人に面しており、図２Ｂでは、外側カバー２０の内側、即ち、着用者に面する表面が見る人に面している。前方及び後方腰部縁部２１、２２は、それぞれ、図面の上部及び下部に示されている。外側カバー２０は、股領域２６と、前側領域２７と、後側領域２８と、後側領域２８から横方向に延びる一対の締結用耳部２９と、を備えていてもよい。外側カバー２０は、前側腰部縁部２１の一番前の部分から後側腰部縁部２２の一番後ろの部分までの長さＬＣと、この長さを均等に分割する外側カバー横方向軸４５と、を備える。したがって、前側領域２７は外側カバー横方向軸４５より前方であり、後側領域２８は外側カバー横方向軸４５より後方である。外側カバー２０は、前側及び後側インサート締結要素３３、３２など、その上に配置された１つ以上のインサート締結要素を備えてもよい。
【００１９】
図３は、外側カバー２０から切り離されて、自立した弛緩状態で示されている、着用可能吸収性物品１０の内部構成要素を形成することができる使い捨て吸収性インサート５０を斜視図で示している。インサート５０は、身体排出物を収容及び／又は吸収するように設計されていてもよく、以下に更に記載されるような可撓性材料で作製されてもよい。インサート１０は、前方区域５４と、後方区域５５と、を備えており、前方締結構成要素５６と、後方締結構成要素５７と、を備えていてもよい。インサート１０は、身体に面するライナー又はトップシート５１と、外側ライナー又はバックシート５２と、一対の起立カフ５３と、を含んでもよい。図４を参照すると、インサート５０は、前方領域５４の一番前の部分から後方領域５５の一番後ろの部分までの長さＬを有し、インサート横方向軸７０はこの長さを均等に分割する。したがって、前方区域５４はインサート横方向軸７０より前方であり、後方区域５５はインサート横方向軸７０より後方である。
【００２０】
図２Ｂ及び図３を参照すると、インサート５０は、インサート上に配置された後方締結構成要素５７を備えてもよい。あるいは、又はこれに加えて、外側カバー２０は、その上に配置された後側インサート締結要素３２を備えてもよい。同様に、インサート５０は、インサート上に配置された前方締結構成要素５６を備えてもよい。あるいは、又はこれに加えて、外側カバー２０は、その上に配置された前側インサート締結要素３２を備えてもよい。２つの要素からなる締結システムを使用する場合、締結構成要素対５７、３２及び５６、３３は、これらの対応の要素が合体されたときにそれらの間に締結をもたらす協働要素であってもよい。したがって、示されている例では、吸収性インサート５０を外側カバー２０内に設置するために、ユーザーは外側カバー２０を平らに置き、内表面２５を上に向け、後側締結要素５７が後側インサート締結要素３２に面しかつ前側締結要素５６が前側インサート締結要素３３に面するようにインサート５０を広げて向きを定め、それらの間に締結をもたらすためにこれら対応の締結要素対５７、３２及び５６、３３を合体させることができる。
【００２１】
外側カバー２０が再利用可能であることが望ましい場合は、インサートの取り外し及び交換の後に外側カバー２０が（洗濯又は廃棄を必要とせずに）実質的に衛生的で有用であるのを保つために、着用者が排泄物（特に糞便）を排出した後に、外側カバー２０の全ての部分を実質的に汚されていない状態に保つことが望ましくあり得る。したがって、インサート５０を外側カバー２０内に設置する際に、少なくとも排出物を排泄する着用者の身体特徴に近接する領域内において、インサート５０の着用者に面する表面のかなりの部分に付けられている又はこれを覆う外側カバー２０の取り外し可能でない部分又は構成要素が存在しない（別の表現をすると、着用可能吸収性物品が着用されたときに、外側カバー２０の取り外し可能でない部分又は構成要素が、インサート５０のかなりの部分と着用者との間に位置しない）ことが望ましくあり得る。したがって、着用可能吸収性物品が着用されたときに、外側カバー２０は、外側カバー２０内のインサート５０の着用者に面する表面のかなりの部分を覆う又は収容する取り外し可能でないカバーシート等を含まず、そしてまた、排出物の排泄ポイントに近接するインサートを実質的に包み込む又は覆う、あるいは実質的にインサート５０と着用者の肛門及び／又は生殖器との間に位置する、ポケット、ストラップ又はフラップなどの上部構造を含まないのが望ましくあり得る。外側カバー２０がそのような上部構造を有さない場合、このことは、着用者の排出物がインサート５０のみに接触し、外側カバー２０の一部分に接触しない可能性を高める。
【００２２】
図１、図２Ａ及び図２Ｂを参照すると、股領域２６が着用者の脚の間にあり、前側腰部縁部２１及び後側腰部縁部２２を図１におおよそ示されるような位置に持っていき、それから締結用耳部２９を前側領域２７に固定して、図１に示したように着用者の周囲にパンツ様衣類が形成されるように、着用者の脚の間及び臀部の下に外側カバー２０を包み込むことにより、着用可能吸収性物品１０が着用者の上に配置され得るのがわかる。インサート５０が外側カバー２０の中に設置されると、次に、インサート５０は外側カバー２０内で着用者の近くに配置され、起立カフ５３は向きを定められて、脚縁部２３の内側部分に隣接して長手方向に（即ち、着用者の脚の間で長手方向に）延びる。
【００２３】
考えられる外側カバーの詳細の例
締結システム
図２Ａ及び図２Ｂを参照すると、締結用耳部２９と前側領域２７との締結を可能にするために、締結用耳部２９は、その上に配置された外側カバー締結要素３０を備えることができる。あるいは、又はこれに加えて、前方区域２７は、前方区域上に配置された１つ以上の受け側締結構成要素３１を有することができる。締結構成要素３０、３１は、耳部２９と前方区域２７の締結をもたらすために協働するように選択され得る。
【００２４】
一例を挙げれば、外側カバー締結要素３０はフックのパッチを備えてもよく、受け側締結要素３１はループのパッチを備えてもよい。好適なフックアンドループ締結システムの例は、ＶＥＬＣＲＯシステム（Ｖｅｌｃｒｏ  Ｉｎｄｕｓｔｒｉｅｓ  Ｂ．Ｖ．の製品）である。フックアンドループ締結システムは特定の利点を提供する。個々のフックアンドループ要素はシート状で供給されるので、これらシート状の要素を適切な形状のパッチに切断することができ、このパッチを、接着剤結合、機械的結合、超音波接合、縫合、縫製、縁かがり、縁取り等の様々な手段で、布又は不織布基材に添着することができる。図２Ｂに示したように、フック又はループのパッチを締結用耳部２９に添着して外側カバー締結要素３０を形成する場合、図２Ａに示したように、協働するフック又はループ材料の横方向に延びるパッチは、外側カバー前側領域２７に添着されて受け側締結要素３１を形成することができる。耳部２９と前方区域２７の締結を、その上の横方向に異なる位置に提供することにより、この構成は、着用可能な吸収性物品の腰部開口部寸法の容易で単純な調節機能をもたらす。
【００２５】
別の例では、上述の通り、外側カバー締結システムは他の種類の締結要素を含んでもよい。腰部開口部寸法の調節機能を提供するために、前側領域２７に配置された拡張された面又は複数の協働締結要素と協働する、締結用耳部２９上に配置された締結要素を使用してもよい。受け側締結要素は、前側領域２７上の横方向に配列された異なる位置に多重配置されて、対応の耳部２９を前側領域２７の横方向に異なる位置に締結可能にすることができる。
【００２６】
図２Ｂを参照すると、外側カバー２０は、その上に配置された１つ以上の対応の締結具プロテクタ３９を更に備えてもよい。この特徴は、保管、運搬、洗濯、及び同様の／関連した活動の間に、外側カバー、又は他の物品の一部分に無作為に又は意図せずに係合しやすい及び引っかかりやすい特徴を有する締結要素が、そのようになるのを防止して、そのような活動中に起こり得る塊化（bunching）、絡み合い及び／又は外側カバー２０若しくは他の物品のいずれかへの損傷を回避することができる。例えば、締結要素３０がフックのパッチである場合、適切に載置された締結具プロテクタ３９は、対応するループのパッチを含んでもよい。これにより、耳部２９を締結具プロテクタ３９に係合するためにユーザーが耳部２９を折り重ね、それらを折り重ね位置に保持することが可能になり、その結果、外側カバー２０が着用されていないときには耳部２９上のフックが覆われて、フックが他の物品にひっかかることが防止される。
【００２７】
外側カバー２０は、また、前方区域２７及び後方区域２８の上にそれぞれ配置される対応の前方及び後方視覚的印７３、７４を有してもよい。インサート５０及び外側カバー２０上に配置される対応の視覚的印は、外側カバー２０内のインサート５０の正しい／最適な配向及び配置の視覚的合図をユーザーに提供するように適合され得る。
【００２８】
材料
外側カバー２０、及び／又は外側カバー２０の層若しくは一部分は、意図される着用者の皮膚との適切な適合性を有する、任意のニット生地、織布、若しくは不織布地、又は布様材料で製造されることができる。外側カバー２０は、耐久性のある材料及び／又は半耐久性の材料で構成されてもよい。一般に、本明細書における参照のみを目的として、「耐久性のある」は、洗濯可能な衣類物品の構成要素として使用され得る、あらゆる種類の繊維材料又はニット生地材料を指す。本明細書において使用するとき「耐久性のある」とは、Ｄｏｎａｌｄ  Ｃ．Ｒｏｅ（Ｐｒｏｃｔｅｒ  ＆  Ｇａｍｂｌｅ、代理人整理番号第１１５５７、１１５５８、及び１１５５９）により、同日に出願された、同時係属米国出願番号第１２／６８７，４１２号、同第１２／６８７，５２８号、及び同第１２／６８７，４２５号、それぞれ表題が「ＲＥＵＳＡＢＬＥ  ＯＵＴＥＲ  ＣＯＶＥＲ  ＦＯＲ  ＡＮ  ＡＢＳＯＲＢＥＮＴ  ＡＲＴＩＣＬＥ」、「ＲＥＵＳＡＢＬＥ  ＯＵＴＥＲ  ＣＯＶＥＲ  ＦＯＲ  ＡＮ  ＡＢＳＯＲＢＥＮＴ  ＡＲＴＩＣＬＥ  ＨＡＶＩＮＧ  ＺＯＮＥＳ  ＯＦ  ＶＡＲＹＩＮＧ  ＰＲＯＰＥＲＴＩＥＳ」、及び「ＬＥＧ  ＡＮＤ  ＷＡＩＳＴＢＡＮＤ  ＳＴＲＵＣＴＵＲＥＳ  ＦＯＲ  ＡＮ  ＡＢＳＯＲＢＥＮＴ  ＡＲＴＩＣＬＥ」に定義及び記載されるように、「洗濯可能な」材料を含む。一般に、本明細書における参照のみを目的として、「半耐久性」は、外側カバーの材料として使用されるときに、役に立たない状態になる程度までその構造的一体性を失わずに、インサートを備えた１回を超える使用に耐えることができる不織布材料又はその積層体を指す。本明細書で使用するとき、「半耐久性」は、すぐ上で特定された同時係属の米国特許出願に定義されかつ記載されているような「洗濯耐性」である材料を包含する。このように、外側カバー２０は、外側カバー２０を再利用可能及び／又は洗濯可能にする材料及び構成体で構成され得る。
【００２９】
外側カバー２０を作製することができる耐久性のある材料は、おむつ、パンツ、下着、高性能衣類、スポーツ衣類、又は一般的な衣類若しくは紡織分野において既知の、任意の天然又は合成繊維材料を含むことができる。耐久性のある材料は、綿、亜麻布、羊毛、竹、麻布、絹、レーヨン等の天然繊維、並びに、これらの繊維のいずれかと他のいずれかとのブレンド、又はこれらの繊維のいずれかと合成繊維とのブレンドで作られる織布又はニット生地を含むことができる。耐久性のある材料の構成要素として使用するのに好適な合成繊維の例には、ポリエステル、ナイロン、スパンデックス及び／又はその他のエラストマー繊維が挙げられる。耐久性のある外側カバーの材料はまた、ＧＯＲＥ−ＴＥＸ（Ｗ．Ｌ．Ｇｏｒｅ  ＆  Ａｓｓｏｃｉａｔｅｓ，Ｉｎｃ．，Ｅｌｋｔｏｎ，ＭＤの製品）；ＯＵＴＬＡＳＴ  ＣＯＭＦＯＲＴＥＭＰ繊維（Ｏｕｔｌａｓｔ  Ｔｅｃｈｎｏｌｏｇｉｅｓ，Ｂｏｕｌｄｅｒ，ＣＯの製品、例えば、米国特許第６，５１４，３６２号及び同第６，２０７，７３８号を参照のこと）、ＣＯＯＬＭＡＸ（Ｉｎｖｉｓｔａ，Ｗｉｃｈｉｔａ，ＫＳの製品）等のマイクロカプセル化した相変化高分子材料を含む繊維などの、通気性の良い撥水加工を施した材料を包含することができる。
【００３０】
好適な耐久性のある材料は、バーズアイ織物、テリー織、フリース、フランネル、ニット、ストレッチニット、シェルパ、スエード布地、マイクロフリース、サテン、ベロア、バーレイニットなどを含む任意の模様又は織物の形態であり得る。好適な例としては、ＰＯＬＡＲＴＥＣＨ  ＰＯＷＥＲ  ＤＲＹ、ＰＯＷＥＲ  ＳＴＲＥＴＣＨ、及びＷＩＮＤ  ＰＲＯ（Ｐｏｌａｒｔｅｃ，ＬＬＣ（Ｌａｗｒｅｎｃｅ，ＭＡ）の製品）が挙げられる。織布材料又は不織布材料よりも本質的に伸縮性があり弾性であり得るニット生地は、より良好な密着、快適性及び／又は外観を外側カバーに付与することができる。スパンデックス繊維又は他のエラストマー繊維を組み込むことにより、伸縮性及び弾力性を高めることができ、それにより、そのような弾性繊維を含まない布地よりも良好な密着、快適性及び／又は外観を外側カバーに付与することができる。
【００３１】
耐久性のある外側カバーの材料の特定の好適な例には：レーヨン（９３％）とスパンデックス（７％）繊維；モーダル（９４％）とスパンデックス（６％）繊維；綿とスパンデックス繊維；及び竹とスパンデックス繊維、のブレンドのジャージーニットが挙げられる。約２Ｘ以上の伸張能力を有する材料が望ましくあり得る。材料の好適な例は、１層につき約０．０１４〜０．０２３グラム／ｃｍ２（０．０９〜０．１５グラム／インチ２）の坪量、又はその他の坪量を有していてもよい。
【００３２】
耐久性のある外側カバーの材料は、所望の快適性、外観及び性能を外側カバー２０に付与するように選択されてもよい。ある状況では、広範囲にわたって汚れる又は損傷を受けた場合に、費用及び罪悪感の問題を最小限にして廃棄できるように、十分に安価な耐久性のある外側カバーの材料を選択するのが望ましくあり得る。
【００３３】
半耐久性の外側カバーの材料は、おむつ又はパンツの分野で既知の、任意の天然又は合成の不織布ウェブ及び／又はフィルム材料を包含することができる。外側カバー２０を構成することができる半耐久性の材料は、使い捨ておむつの構成要素として用いられる不織布ウェブ材料を形成するために使用される、ポリプロピレン及び／又はポリエチレン繊維、ポリエステル繊維、並びに任意のその他の合成繊維、及びこれらのブレンドの不織布ウェブ材料を包含することができる。綿、亜麻布、羊毛、竹、麻布、絹、レーヨン等の天然繊維は、外側カバー２０の構成要素層として好適なそのような不織布ウェブを形成するために、合成繊維とブレンドされてもよい。
【００３４】
半耐久性の外側カバーの材料として使用されることが考慮され得る繊維、不織布、及び不織布とフィルムとの積層体の非限定的な例は、米国特許第７，２２３，８１８号、同第７，２１１，５３１号、同第７，０６０，１４９号、同第６，９６４，７２０号、同第６，９０５，９８７号、同第６，８９０，８７２号、同第６，８８４，４９４号、同第６，８７８，６４７号、及び同第５，５１８，８０１号、並びに米国特許出願公開第２００８／０３１９４０７号、同第２００８／００４５９１７号、同第２００７／０２９３１１１号、同第２００７／０２８７９８３号、同第２００７／０２８７３４８号、同第２００７／０２４９２５４号、同第２００７／０２０３３０１号、及び同第２００５／０１６４５８７号に見出すことができる。
【００３５】
半耐久性の外側カバーの材料はまた、所望の快適性、外観及び性能を外側カバー２０に付与するように選択されてもよい。ある状況では、広範囲にわたって汚れる又は損傷を受けた場合に、費用及び罪悪感の問題を最小限にして廃棄できるように、十分に安価な半耐久性の外側カバーの材料を選択するのが望ましくあり得る。
【００３６】
外側カバーはまた、又は更に、改善された液体浸透耐性及び／又は弾性特性を提供するために、弾性であってもよい、積層された又は実質的に独立したフィルム層を備えてもよい。弾性特性は、弾性ストランド、バンド、スクリム等などの他の材料を、層、バンド、又はストリップ形式で外側カバーに加えることにより付加される又は強化されることもできる。フィルム層は、耐久性のある材料又は半耐久性の材料と共に積層されてもよい。フィルム層は、ＫＲＡＴＯＮ（Ｋｒａｔｏｎ  Ｐｏｌｙｍｅｒｓ  Ｕ．Ｓ．，ＬＬＣ，Ｈｏｕｓｔｏｎ，Ｔｅｘａｓの製品）ベースのエラストマーを含んでもよく、又は更なる例として、ＥｘｘｏｎＭｏｂｉｌ  Ｃｈｅｍｉｃａｌ  Ｃｏｍｐａｎｙ，Ｈｏｕｓｔｏｎ，ＴＸから入手可能なＶＩＳＴＡＭＡＸＸをベースとするエラストマー；ＦＬＥＸＡＩＲＥ、ＥＸＴＲＡＦＬＥＸ又はＦＡＢＲＩＦＬＥＸ（Ｔｒｅｄｅｇａｒ  Ｆｉｌｍ  Ｐｒｏｄｕｃｔｓ  Ｃｏｒｐｏｒａｔｉｏｎ，Ｒｉｃｈｍｏｎｄ，ＶＡの製品）、及びＦｕｌｆｌｅｘ  Ｅｌａｓｔｏｍｅｒｉｃｓ  Ｗｏｒｌｄｗｉｄｅ（Ｇｒｅｅｎｖｉｌｌｅ，ＴＮ）から入手可能な種々のラテックスを有さないエラストマーシートを含んでもよい。
【００３７】
エラストマー材料を布若しくは不織布層の繊維状構成要素として又はフィルム層として含有することは、着用者の臀部及び／又は腰部エリア周囲などにかけての着用者の生体構造及び動きに順応するために有用となり得る伸縮性及び弾性の改良、並びにフィット及び快適さの改善をもたらす。更に、フィルム層を含む場合には、更なる液体閉じ込め能力を外側カバーに付与することができる。着用されている状態の外側カバー内に通気性を提供して湿度を低減し、液体閉じ込め能力が望ましい場合に皮膚が水分過剰になる可能性を低減するために、フィルム層は、実質的に液体不透過性であるが蒸気透過性であるフィルムを包含してもよい。通気性の良いフィルムは、様々なプロセスによりフィルムを機械的に穿孔又は開口することによりもたらされてもよい。このようなプロセスの例は、同時継続米国出願番号第１２／３６６，８２５号、及び同第１２／５３４，３５３号に記載される。
【００３８】
図２Ａを参照すると、１つの例において、外表面２４は、耐久性のある材料又は半耐久性の材料の第１の層により形成されてもよい。選択される材料は、疎水性を有して、かかる第１の層に改善された液体閉じ込め特性を提供する繊維を包含することができる。しかしながら、別の例では、材料がもっと簡単に液体を吸収及び／又は透過することができるように、選択される材料が、親水性繊維、又は親水性になるように処理された繊維を包含することが、ある状況では望ましくあり得る。これは、液体排出物がインサートから流出する事象に対して外側カバー内に追加の吸収性を提供する、又は液体排出物がインサートから流出したことをユーザーに知らせる１つの方法を提供するのに貢献することができる。更に、ある状況では、ユーザー及び／又は着用者が魅力的だと感じる心地よい感触を有するように、選択される材料は柔らかな触覚性を有するのが望ましくあり得る。材料はまた、色合い、光沢、質感等を非限定的に含む所望の外観を有するように選択されてもよい。
【００３９】
外側カバー２０は、耐久性のある材料又は半耐久性の材料の単一層で形成されてもよく、あるいは、前側領域２７及び／又は後側領域２８内に２つ以上の層を有してもよい。したがって、図２Ｂを参照すると、別の例において、内表面２５は、耐久性のある材料又は半耐久性の材料の第２の層で形成されてもよい。選択される材料は、疎水性を有して、第２の層に改善された液体閉じ込め特性を提供する繊維を包含することができる。しかしながら、別の例では、選択された材料は、親水性繊維、又は親水性になるように処理された繊維を包含するのがある状況では望ましくあり得る。これは、内表面２５を形成する材料が、もっと簡単に液体を吸収する、又は液体が材料を透過することができるようにするために、ある状況では所望であり得る。これは、液体排出物がインサートから流出する事象に対して外側カバー内に追加の吸収性を提供し、外側カバーが漏れる可能性を低減するのに貢献することができる。あるいは、湿気が外表面上で可視であるように湿気を外側カバーの外層まで透過させることにより、液体排出物がインサートから流出したことをユーザーに知らせる１つの方法を提供することができる。あるいは、より乾燥したより快適な感触を目的として、皮膚から水分を引き離す傾向がある層を提供するのに役立つ可能性がある。
【００４０】
更に、ある状況では、皮膚に対して、特に外側カバーと着用者の皮膚との間にインサートのどの部分も存在しないことが見込まれる領域内の皮膚に対して心地よい感触を有するように、内表面２５用に選択される材料は柔らかな触覚性を有するのが望ましくあり得る。
【００４１】
別の例では、材料の第２の層は、例えば、エラストマー材料の繊維（例えば、スパンデックス）を含むなどして強化された弾力性を有する繊維材料で形成されてもよい。別の例では、中間フィルム層を別の層と共に包含してもよく、積層してもよく、又は積層しなくてもよい。
【００４２】
上述のように、１つを超える層（例えば、２つ、又はそれより多くの層）の外側カバー２０を形成することにより、様々な利益を提供することができる。第２の層（及び任意の追加層）は、外側カバー２０全域に、横方向と長手方向の両方の追加の引張り強度を提供することができる。更に、第１の層は第１の一連の特性のために選択されてもよく、第２の層は第２の一連の特性を目的として選択されてもよい。例えば、第１の層を形成する材料は、比較的高い弾力性、並びに特定の質感、色及び／又はその他の外観と関連付けられた特性を有するように選択されてもよく、第２の層を形成する材料は、内層の目的上、比較的高い疎水性、親水性及び／又は皮膚に対する柔軟性を有するように選択されてもよく、２つの層は組み合わされて、所望の特性の組み合わせを外側カバーに付与する。例えば、内層は、吸収力、及び流体流出（漏れ）の可能性の低下をもたらすように、親水性の材料で形成されてもよい、及び／又はより親水性になるように処理されてもよいのに対して、外層は、例えば、周囲の汚れを阻止するために、又は内層から外層への液体透過を阻止するために、より疎水性の材料で形成されてもよい。更に、単一層と比べて、複数の層は、より滑らかでより魅力的な外観を目的として、インサートの隆起、角部、シーム、又はその他の特徴を包み隠すように良好に機能する。
【００４３】
使い捨てインサートは、身体の被覆領域に着用者から排出された排泄物を全て取得し収容するように設計されているが、尿などの幾つかの比較的少量の身体排出物は、場合によっては、使い捨てインサートから漏れ、再使用可能な外側カバーの着用者側面、即ち内側面と接触する場合がある。外側カバーの内側面が流体を吸収できない場合、流体は、外側カバーの表面に沿って移動し、物品の周囲を突破し、それにより寝具、敷物類、介護者などの環境における衣類や他の表面に漏れることがある。外側カバーは、使い捨てインサートほど大きい吸収能力を有するように設計されなくてもよい一方、外側カバーの内側面の、少量の流体を素早く吸収する能力は、そのような事例を防ぐことができる。したがって、再使用可能な外側カバーは、少なくとも約２０グラム、又は少なくとも約３０若しくは４０グラムの遠心分離保持能力（Centrifuge Retention Capacity）を有することができる。外側カバーは、物品の基本吸収能力を提供するように設計されるので、外側カバーの遠心分離保持能力は、一般に、約１００グラム未満、より典型的には約７５グラム未満である。汚れた外側カバーの洗浄と乾燥はエネルギーを必要とし、典型的な洗浄機に入ることができる外側カバーの数（即ち、１「回分」）は、個別の外側カバーの重量に反比例するため、外側カバーの重量を最小にし、それにより外側カバー材料の吸収効率を高めることが望ましい。再使用可能な外側カバー材料の標準能力は、少なくとも約１．０ｇ／ｇでよく、また少なくとも約１．５又は２．０ｇ／ｇでよい。
【００４４】
本開示の様々な実施形態では、使い捨て吸収性インサートと共に使用するように構成された再使用可能な外側カバーは、遠心分離保持能力試験により測定された、１２５グラム未満、１００グラム未満、７５グラム未満、少なくとも６０グラム、少なくとも５０グラム、少なくとも４０グラム、少なくとも３０グラム、少なくとも２０グラム、これらの値のいずれかの間の任意の整数グラム値、又はこれらの値のうちのいずれかにより構成された任意の範囲の外側カバー吸収能力を有することができる。
【００４５】
本開示の様々な実施形態では、使い捨て吸収性インサートと共に使用するように構成された再使用可能な外側カバーは、６０グラム未満、５０グラム未満、４０グラム未満、３０グラム未満、２０グラム未満、これらの値のうちのいずれかの間の任意の整数グラム値、又はこれらの値のうちのいずれかにより構成された任意の範囲の外側カバー値を有することができる。
【００４６】
本開示の様々な実施形態では、使い捨て吸収性インサートと共に使用するように構成された再使用可能な外側カバーは、本明細書に記載された外側カバー吸収能力と外側カバー重量の任意の組み合わせに基づいて、外側カバー質量に対する外側カバー吸収能力の比率として定義される統合外側カバー吸収能力を有することができる。例えば、使い捨て吸収性インサートと共に使用するように構成された再使用可能な外側カバーは、少なくとも１．０グラム／グラム、少なくとも１．５グラム／グラム、少なくとも２．０グラム／グラム、少なくとも２．５グラム／グラム、少なくとも３．０グラム／グラム、又はこれらの値のいずれかにより構成された任意の範囲の統合外側カバー吸収能力を有することができる。
【００４７】
下に示した表１は、４つの現行市場吸収性物品と試験物品からの全体外側カバーサンプルの試験による、外側カバー吸収能力、外側カバー質量、及び統合外側カバー吸収能力の試験データを示す。４つの現行市場製品は、ｇＤｉａｐｅｒ（サイズ大、ｇＤｉａｐｅｒｓ，Ｉｎｃ．ｏｆ  Ｐｏｒｔｌａｎｄ，ＯＲ，Ｕｎｉｔｅｄ  Ｓｔａｔｅｓによる、２０１０年４月にｗｗｗ．ｇｄｉａｐｅｒｓ．ｃｏｍから購入）、ＧｒｏＢａｂｙ／Ｇｒｏ  Ｖｉａ（Ｔｈｅ  Ｎａｔｕｒａｌ  Ｂａｂｙ  Ｃｏ．ｏｆ  Ｂｏｚｅｍａｎ，ＭＴ，Ｕｎｉｔｅｄ  Ｓｔａｔｅｓより。２０１０年４月にｗｗｗ．ｔｈｅｎａｔｕｒａｌｂａｂｙｃｏ．ｃｏｍから購入）、Ｂｕｍｍｉｓ  ＳｕｐｅｒＢｒｉｔｅ（サイズ大、Ｂｕｍｍｉｓ，Ｉｎｃ．，ｏｆ  Ｍｏｎｔｒｅａｌ，Ｑｕｅｂｅｃ，Ｃａｎａｄａより、２０１０年４月にｗｗｗ．ｔｈｅｎａｔｕｒａｌｂａｂｙｃｏ．ｃｏｍから購入）、及びＤｉａｐｅｒａｐｓ（サイズ大、Ｄｉａｐｅｒａｐｓ：Ｂａｂｙ’ｓ  Ｏｒｇａｎｉｃ  Ｎｕｒｓｅｒｙ，Ｇｒａｎａｄａ  Ｈｉｌｌｓ，ＣＡ，Ｕｎｉｔｅｄ  Ｓｔａｔｅｓより、２０１０年４月にｗｗｗ．ｂａｂｙｓｏｒｇａｎｉｃｎｕｒｓｅｒｙ．ｃｏｍから購入）であった。
【００４８】
試験物品の外側カバーは、本開示の実施形態にしたがって、両方ともモーダル９３％とスパンデックス７％で作製されＫｏｓｈｔｅｘ，Ｌｏｓ  Ａｎｇｅｌｅｓ，ＣＡ，Ｕｎｉｔｅｄ  ＳｔａｔｅｓからコードＥ．ｎ．ｎ−１４として入手可能な外側カバー材料と内側ライナー材料、ナイロン１００％で作製されＰｅｒｆｅｃｔｅｋ  Ｐｌｕｓ，Ｈｕｎｔｉｎｇｔｏｎ  Ｂｅａｃｈ，ＣＡ，Ｕｎｉｔｅｄ  Ｓｔａｔｅｓから縫い付け式ホックとして入手可能な外側カバーホック、Ａｐｌｉｘ，Ｐａｒｉｓ，Ｆｒａｎｃｅからコード９６０Ｅとして入手可能な外側カバー付着ゾーン、及びナイロン１００％で作製されＴｏｕｃｈｔａｐｅ，Ｓｔ．Ａｕｇｕｓｔｉｎｅ，ＦＬ，Ｕｎｉｔｅｄ  Ｓｔａｔｅｓからの材料上の標準縫糸として入手可能なインサート付着ゾーンにより構成された。
【表１】
2013532518.tif 000003
【００４９】
表１の試験データでは、各タイプの全体外側カバーについて、３個のサンプルを試験し、平均を報告した。外側カバー質量は、外側カバーをはかりで計ることにより測定された。外側カバー吸収能力は、本明細書に開示された遠心分離保持能力試験を使用して測定された。統合外側カバー吸収能力は、外側カバー吸収能力を外側カバー質量で割ることにより計算された。
【００５０】
また、試験物品に関して、統合外側カバー材料吸収能力は、遠心分離保持能力試験を使用することにより測定され、１．１３グラム／グラムであることが分かった。しかしながら、様々な実施形態において、再使用可能な外側カバーは、１グラム当たり１．５グラム未満、１．４グラム未満、１．３グラム未満、１．２グラム未満、１．１グラム未満、１．０グラム未満、０．９グラム未満、０．８グラム未満、０．７未満グラム、又はこれらの値のいずれかにより構成された任意の範囲の統合外側カバー材料吸収能力を有するように構成されてもよい。
【００５１】
異なる材料の異なる層を形成するのに加えて、異なる材料の単一層、例えば、外側カバーのそれぞれの前側領域、股領域及び／又は後側領域の材料が異なる単一層を形成するのが望ましくあり得る。そのような異なる材料は、内部シーム４０及び／又は外部シーム４１などのシームで結合されてもよい。例えば、後方区域２８の内表面を主に形成する材料は、主として、着用者の体輪郭の周囲に密着嵌合（snug fit）を提供し、かつ着用者の動き（即ち、臀部及び腰回りの周囲）に適合するように良好に機能し得る弾性特徴を目的として選択されてもよい。これに対して、前側領域２７及び／又は股領域２６の内表面を主に形成する材料は、主として、液体排出物を収容するように良好に機能し得る疎水性又は親水性を目的として選択されてもよい。
【００５２】
外側カバーの層又はその他の要素は、例えば、接着剤、機械的結合、超音波接合、縫合、縫製、縁かがり、縁取り等の任意の好適な手段により互いに結合されてもよい。
【００５３】
上記の構造及び材料に加え、又はこれの代替として、他のカバーが構成され、Ｄｏｎａｌｄ  Ｃ．Ｒｏｅ（Ｐｒｏｃｔｅｒ  ＆  Ｇａｍｂｌｅ、代理人整理番号第１１５５７、１１５５８、及び１１５５９）により、同日に出願された、同時係属米国出願番号第１２／６８７，４１２号、同第１２／６８７，５２８号、及び同第１２／６８７，４２５号、それぞれ表題が「ＲＥＵＳＡＢＬＥ  ＯＵＴＥＲ  ＣＯＶＥＲ  ＦＯＲ  ＡＮ  ＡＢＳＯＲＢＥＮＴ  ＡＲＴＩＣＬＥ」、「ＲＥＵＳＡＢＬＥ  ＯＵＴＥＲ  ＣＯＶＥＲ  ＦＯＲ  ＡＮ  ＡＢＳＯＲＢＥＮＴ  ＡＲＴＩＣＬＥ  ＨＡＶＩＮＧ  ＺＯＮＥＳ  ＯＦ  ＶＡＲＹＩＮＧ  ＰＲＯＰＥＲＴＩＥＳ」、及び「ＬＥＧ  ＡＮＤ  ＷＡＩＳＴＢＡＮＤ  ＳＴＲＵＣＴＵＲＥＳ  ＦＯＲ  ＡＮ  ＡＢＳＯＲＢＥＮＴ  ＡＲＴＩＣＬＥ」に定義及び記載されるように、「洗濯可能な」材料を含む。
【００５４】
伸縮性腰部バンド、脚部バンド
図１、図２Ａ及び図２Ｂを再び参照すると、前方腰部バンド部分３４、後方腰部バンド部分３５、及び脚部バンド部分３６が図示されている。これらバンド部分３４、３５、３６の１つ以上は、スパンデックス又はスパンデックスと他の繊維とのブレンドなどのエラストマー材料を含む１つ以上のストランド又はストリップで形成されてもよく、このストランド又はストリップは、外側カバー２０の内層及び／又は外層を形成する材料の縁部を包含し得る不織布又は繊維材料に被包されて、それぞれのバンド部分を形成しかつ伸縮性を持たせる。弾性材料は、ピンと張った状態で、又は加えられた歪ゼロで、外側カバー層に又は外側カバー層内に添着され得る。弾性ストランド又はストリップを被包する繊維材料は、弾性ストランド又はストリップの周囲に縫い付けられて、それらをそれぞれのバンド部分の中の定位置に保持することができる。製造プロセス中に、これらのバンド部分を形成するために弾性材料が被包される及び添着される前に及びその間に、弾性材料がピンと引っ張られると、弛緩の際に、被包材料及び隣接する外側カバーの材料にギャザーが寄り、それに沿って波打ち構造（ruffle）３７が形成され、ギャザーの付いた外側カバー材料をもたらす。これは、密着嵌合、着用者の快適性及び外観を改善するのを助けることができる。バンド部分は、外側カバーの縁部に沿って配置されてもよく、ある状況では、外側カバー２０が着用されている間、着用者の脚及び／又は腰部を実質的に若しくは完全に包囲するバンドを形成するように、脚部及び／又は腰部開口部のほぼ全長に沿って位置付けられたバンド部分を備えるのが望ましくあり得る。波打ち構造３７内のギャザーが付けられた材料は、腰部バンド部分３４、３５及び脚部バンド部分３６の伸縮に適合するように機能し得る。記載されたような伸縮性脚部バンド部分３６を含むこの構成は、着用者の脚の周囲により良好な密着をもたらすことができるだけでなく、適切に寸法設定されかつ成形された材料で作製された場合に、外側カバー２０が着用されたときに股領域に袋様構造体７５（図１参照）を形成するのを可能にすることができ、この袋様構造体７５は、外側カバー内にインサート５０（図３）を収容するための空隙を提供し、かつインサート５０を外側カバー２０内の定位置に、股領域内で実質的に横方向に中心合わせされた位置に保持するのを助けるように機能し得る。このことは、以下に更に説明されるように任意の長手方向中間位置にではなく、インサート５０の各末端部の近くのみに位置決めされた締結要素によりインサート５０が外側カバー２０内に取り付けられる例において有利であると考えることができる。あるいは、又は更に、腰部バンド部分３４、３５及び脚部バンド部分３６の弾性ストランド又はストリップは、外側カバー内のそれぞれの末端部の位置又は末端部の近くのみ、例えば、外側カバーの材料で形成された袋状、管状又は被包構造体の中に固定されてもよい（本明細書では「引きひも弾性」とも呼ばれる）。これにより、弾性材料及び関連する外側カバーの材料は、互いに自由に及び独立して伸張及び移動することができることになり、密着及び快適性を促進することができる。そのような伸縮性のある脚部バンド部分３６によりもたらされる着用者の脚の周囲の密着嵌合は、着用可能吸収性物品の閉じ込め能力を高める働きをすることができる。
【００５５】
腰部バンド部分３４、３５及び脚部バンド部分３６の１つ以上は、上記のやり方で、又はその他の手段により伸縮性を持たされてもよい。例えば、弾性腰部バンド及び脚部バンド、又は従来の布製下着、ブリーフ、若しくはその他の衣料品のその他のバンド機能を形成するために使用されるような伸縮性のあるバンド／ストリップ材料は、独立して製造されて、その製造中に、外側カバー２０を形成する材料に任意の好適な方法で添着されてもよい。
【００５６】
別の例では、腰部バンド部分３４、３５及び脚部バンド部分３６の１つ以上は、接着剤及び／又は圧縮結合を用いて、脚部開口部及び／又は腰部開口部の縁部の周囲に簡単に添着された弾性材料で形成されてもよい。別の例では、弾性ストリップ材料は、複数のピンと張られたエラストマーストランド又はストリップを、未延伸の不織布ウェブ材料又はフィルムの１つ以上のストリップに添着することにより形成されてもよい。得られた弾性ストリップ材料を弛緩させると、未延伸の材料は、ギャザーの付いた未延伸の材料を含む横皺を形成し、弾性ストリップ材料の伸縮に適合することになる。腰部バンド部分３４、３５及び／又は脚部バンド部分３６の１つ以上に弾性ストリップ材料を添着することにより、この弾性ストリップ材料を使用して、伸縮性腰部バンド部分３４、３５及び／又は脚部バンド部分３６の１つ以上を形成することができる。
【００５７】
固定バンド
外側カバー２０は、また、図２Ａ，図２Ｂに示されたような外側カバー後面領域２８上又はその領域内に配置された固定バンド３８ａ及び３８ｂ（集合的に固定バンド３８と呼ばれる）などの固定強化部材を備えてもよい。図２Ａ及び図２Ｂに示したように、固定バンド３８は、層に沿って添着されるか、又は層の間に配置されて、外側カバー２０の内表面２５及び外表面２４を形成する。固定バンド３８は、外側カバー２０の後部角部に近い位置又は締結用耳部２９に近い位置に添着される、材料のエラストマーの又は伸縮性のあるストリップ又はバンドを備えてもよい。したがって、固定バンド３８は、固定バンド３８の末端部のみにより、又は固定バンド３８の限定された数の選択された中間部横方向位置においてのみ外側カバーに取り付けられるので、固定バンド３８は、外側カバー２０の内表面及び外表面を形成する層から、その横方向長さに沿った外側カバーの他の層から部分的に又は実質的に力分離（force-decoupled）され得る。例えば、固定バンド３８は、固定バンド３８の末端部においてのみ、外側カバー２０に取り付けられてもよい。別の例では、固定バンド３８は、固定バンド３８の末端部においてのみ、又は固定バンド３８の横方向中心においてのみ、外側カバー２０に取り付けられてもよい。この実質的に力分離される構成により、固定バンド３８及び外側カバー２０の周囲部分が、実質的に互いに独立して伸張する及び動くことが可能になり、より良好な密着及び快適性が促進され得る。しかしながら、別の例では、固定バンド３８は、固定バンド３８の実質的に全長に沿って、外側カバーの内表面及び外表面のいずれか又は両方を形成する伸縮性材料の層が積層された、ないしは別の方法でこの層に固定された、弾性バンド、ストリップ又はストラップであってもよい。
【００５８】
着用者に適用するために横方向に引っ張られると、固定バンド３８は、物品の横方向張力を着用者の腰部の周囲に提供する（又は補完する）ように機能して、腰部開口部をゆるやかに引く傾向があり、密着を強化し、かつ着用者の腰部の周囲への着用可能な吸収性物品の固定を強化することができる。固定バンドの弾性率は、包囲する、隣接する、又は同一の広がりを持つ外側カバーの材料の弾性率よりも大きい。
【００５９】
固定バンド、又は１つ以上の固定バンド部材のシステムは、例えば、次の文献に記載されている任意の追加特徴を有してもよい：係属中の米国特許出願番号第１１／８１０，７４１号、同第１１／８１０，７０８号、同第１２／１０１，４７６号、同第１２／０２８，３１７号、同第１１／８１０，７４５号、同第１１／８１０，７４２号、同第１１／８１０，７３４号、同第１１／８１０，７７９号、同第１１／８１０，７１５号、同第１１／８１０，７３３号、同第１１／８１０，７３６号、同第１１／８１０，７７７号、同第１１／５９９，８６２号、同第１１／８１０，９０１、及び１１／５９９，８５１号、同第１１／８９９，８１２号、同第１２／２０４，８４４号、同第１２／２０４，８４９号、同第１２／２０４，８５４号、同第１２／２０４，８５８号、同第１２／２０４，８６４号、同第１１／８９９，８１０号、同第１１／８９９，６５６号、同第１１／８９９，８１１号、同第１１／８９９，８１２号、同第１２／２０４，８４４号、同第１２／２０４，８４９号、同第１２／２０４，８５４号、同第１２／２０４，８５８号、及び同第１２／２０４，８６４号、並びにＤｏｎａｌｄ  Ｃ．Ｒｏｅ（Ｐｒｏｃｔｅｒ  ＆  Ｇａｍｂｌｅ、代理人整理番号第１１２２５Ｍ、１１５６５及び１１５６６）により同日に出願された同時係属米国特許出願第１２／６８７，４１２号、及び同第１２／６８７，５２８号、同第１２／６８７，４２５、それぞれ表題が「ＲＥＵＳＡＢＬＥ  ＷＥＡＲＡＢＬＥ  ＡＢＳＯＲＢＥＮＴ  ＡＲＴＩＣＬＥＳ  ＷＩＴＨ  ＡＮＣＨＯＲＩＮＧ  ＳＹＳＴＥＭＳ」、「ＲＥＵＳＡＢＬＥ  ＷＥＡＲＡＢＬＥ  ＡＢＳＯＲＢＥＮＴ  ＡＲＴＩＣＬＥＳ  ＷＩＴＨ  ＡＮＣＨＯＲＩＮＧ  ＳＵＢＳＹＳＴＥＭＳ」、及び「ＲＥＵＳＡＢＬＥ  ＯＵＴＥＲ  ＣＯＶＥＲＳ  ＦＯＲ  ＷＥＡＲＡＢＬＥ  ＡＢＳＯＲＢＥＮＴ  ＡＲＴＩＣＬＥＳ」に記載される任意の追加的な機構を備え得る。
【００６０】
別の例では、図２Ａ及び図２Ｂの固定バンド３８の図示された位置により示したように実質的に横方向に配向されるのではなく、又はこれに加えて、固定バンドを形成する１つ以上の部材は、長手方向と横方向との間に斜めに配向されてもよい。例えば、図２Ａに示したように、一対の斜めの固定バンド３８ａは、外側カバーの角部及び／又は締結用耳部２９に近接する位置エリアにおいて固定されるそれぞれの腰部末端部を備えてもよく、図２Ａに示したように、外側カバー２０の横方向及び長手方向両方の中心に向かってそれぞれ延びてもよい。バンド３８ａのそれぞれの中心末端部は、図２Ａに示したように、外側カバーの横方向中心近くの位置において外側カバーに添着されてもよく、バンド３８ａは、上述のように、バンド３８ａの長さに沿って外側カバーから力分離される又は外側カバーに力結合（force-coupled）されてもよい。以下に更に記載されるように追加的な長手方向支持を目的としてインサートが固定バンドに接続される例では、斜めの固定バンド３８ａなどの斜めの固定バンドは、外側カバー２０に沿った追加の長手方向張力を提供して、その中に追加の長手方向支持を提供するように機能することができる。
【００６１】
可能な吸収性インサートの詳細の例
吸収性インサート５０の特徴の例が、図３及び図４を参照して説明される。
【００６２】
上述の通り、図３は、自立し、弛緩状態であり、外側カバーから切り離されて示されている、本明細書に記載の着用可能吸収性物品の内部構成要素を形成することができる使い捨て吸収性インサート５０を斜視図で示している。図４は、身体に面する表面が見る人に面している、（図３に示されるのと同様の位置にもたらされる弾性に誘発される収縮に逆らって）延伸され平らにされて示されているインサート５０の例を図示している。
【００６３】
インサート５０は、以下に更に説明されるもののような吸収性コア材料のための外被様エンクロージャを形成するトップシート５１と、バックシート５２と、を備えてもよい。トップシート５１とバックシート５２は、長手方向シームに沿って、及び横方向シーム６９に沿って互いに添着されてもよい。インサート５０はまた、これに沿って添着される長手方向起立カフ５３を備えてもよい。
【００６４】
インサート５０は、また、個別の前部及び後部ユーザー把持構造体５９、６１を備えてもよい。ユーザー把持構造体５９、６１は、ユーザーがインサート５０をその各端部で迅速かつ容易に把持できるようにするために提供され得る。
【００６５】
図３及び図４を参照すると、末端支持補強材６０及び６２を備えてもよい。このような末端支持補強材は、ユーザーがインサートを外側カバーに係合するのを援助し、インサート５０が外側カバーの下に装着されている間にその意図される形状及び配置を維持するのを助ける、即ち、意図される位置及び起立カフ５３のガスケット機能を維持するのを助けるように機能し得る。末端支持補強材６０、６２はまた、インサート上に含まれる締結要素の寸法、タイプ又は位置にかかわらず、インサートの角部を制御するのを助けることができる。カフ縁部５８の長手方向の引っ張りに対する抵抗をもたらすのに加えて、末端支持補強材６０、６２は、あらゆる方向への又はあらゆる平面における曲げに対する抵抗を提供することができる。
【００６６】
トップシート
トップシート５１は、液体透過性不織布ウェブ材料で形成されてもよい。トップシート５１を形成する材料は、着用者の皮膚に順応し、ソフトな触感で、刺激がないのが望ましくあり得る。トップシート５１の少なくとも一部分は液体透過性であり、液体がその厚さを簡単に貫通することができるのが望ましくあり得る。適切なトップシートは、例えば、多孔質発泡体、網状発泡体、孔あきプラスチックフィルム、又は天然繊維（例えば、木材繊維又は綿繊維）、合成繊維（例えば、ポリエステル繊維又はポリプロピレン繊維）、若しくは天然繊維と合成繊維との組み合わせの織布若しくは不織布材料などの、広範囲の材料から製造されてもよい。トップシート５１が繊維を含む場合、繊維は、スパンボンド、カード、湿式堆積、メルトブロー、水流交絡、ないしは当該技術分野において既知の別の方法で加工されてよい。
【００６７】
ステープル長さのポリプロピレン繊維の不織布ウェブを含む１つの好適な材料は、商標名Ｐ−８でＶｅｒａｔｅｃ，Ｉｎｃ．のＤｉｖｉｓｉｏｎ  ｏｆ  Ｉｎｔｅｒｎａｔｉｏｎａｌ  Ｐａｐｅｒ  Ｃｏｍｐａｎｙ（Ｗａｌｐｏｌｅ，ＭＡ）により製造されている。成形フィルムを含む更なる好適な材料は、米国特許第３，９２９，１３５号、同第４，３２４，２４６号、同第４，３４２，３１４号、同第４，４６３，０４５号、及び同第５，００６，３９４号に記載されている。米国特許第４，６０９，５１８号及び同第４，６２９，６４３号にしたがって他の好適なトップシート３０を作製してもよい。成形及び／又は有孔フィルムの好適な例には、Ｐｒｏｃｔｅｒ  ＆  Ｇａｍｂｌｅ  Ｃｏｍｐａｎｙ（Ｃｉｎｃｉｎｎａｔｉ，Ｏｈｉｏ）によりＤＲＩ−ＷＥＡＶＥとして、及びＲｉｃｈｍｏｎｄ，ＶＡに拠点を置くＴｒｅｄｅｇａｒ  ＣｏｒｐｏｒａｔｉｏｎによりＦＲＥＳＨＦＥＥＬとして製造される製品が挙げられる。好適なトップシートの材料には、ＴｒｅｄｅｇａｒによりＣＯＭＦＯＲＴＦＥＥＬ、ＣＯＭＦＯＲＴＱＵＩＬＴ、ＳＯＦＴＱＵＩＬＴ、及びＣＯＭＦＯＲＴＡＩＲＥとして製造される、フィルムと不織布ウェブとの積層体を挙げることができる。
【００６８】
ある状況では、トップシート５１の少なくとも一部分は、吸収性コアに含まれる液体から着用者の皮膚を隔離するために、疎水性材料で作製される、又は疎水性になるように処理されるのが望ましくあり得る。トップシート５１を主に疎水性材料で作製する場合、トップシート５１の上面の少なくとも一部分を親水性になるように処理して、液体がトップシートを通ってより迅速に移動するようにするが望ましくあり得る。トップシート５１は、界面活性剤で処理することにより、又は界面活性剤をトップシート中に組み込むことにより、親水性にすることができる。トップシート５１を界面活性剤で処理するのに好適な方法として、トップシート材料に界面活性剤を噴霧すること、及び／又は材料を界面活性剤中に浸漬することが挙げられる。そのような処理及び親水性のより詳細な説明が、米国特許第４，９８８，３４４号及び同第４，９８８，３４５号に含まれている。トップシートに界面活性剤を組み込む特定の好適な方法について、米国法定発明登録第Ｈ１６７０号により詳細に議論がなされている。しかしながら、別の例では、トップシート５１は、疎水性である有孔ウェブ又はフィルムを含んでもよい。これは、以下に記述されるように、生産プロセスから親水性化処理工程を省くことにより、及び／又はＳＣＯＴＣＨＧＵＡＲＤのようなポリテトラフルオロエチレン化合物又は疎水性ローション組成物などでトップシート材料に疎水処理を施すことにより達成されてもよい。そのような例では、開口は、普通であれば疎水性に起因する著しい抵抗なく尿のような水性流体が貫通できるほど十分に大きいのが望ましくあり得る。開口は、低粘度の糞便物質の貫通が可能となるほど十分な有効孔面積及び／又は開口寸法を有するのが更に望ましくあり得る。これらの要件を満たすトップシートの例は、米国特許第５，３４２，３３８号、同第６，４１４，２１５号、及び同第６，０１０，４９１号に記載されている。
【００６９】
トップシート５１の任意の部分は、当該技術分野において既知のローション又はスキンケア組成物でコーティングされてもよい。好適なローションの例には、米国特許第５，６０７，７６０号、同第５，６０９，５８７号、同第５，６３５，１９１号、同第５，６４３，５８８号、同第５，９６８，０２５号、及び同第６，７１６，４４１号に記載されているものが挙げられる。ローションは、単独で又は他の剤と組み合わされて、上述の疎水化処理として機能することができる。
【００７０】
トップシート５１はまた、抗菌剤を含むかこれにより処理されてもよく、その幾つかの例は、米国特許出願番号第０８／２１２，４４１号（法定特許登録Ｈ１７３２として公開）に開示される。
【００７１】
更に、トップシート５１、バックシート５２、又はトップシート若しくはバックシートの任意の部分は、より布様の外観をもたらすために、エンボス加工及び／又はつや消し仕上げされてもよい。
【００７２】
トップシート５１は、全体的に又は部分的に伸縮されてもよく、あるいは収縮させてトップシート５１とコアとの間に空隙を形成してもよい。伸縮性を与えられた又は収縮されたトップシートを備える代表的な構造体は、米国特許第４，８９２，５３６号、同第４，９９０，１４７号、同第５，０３７，４１６号、及び同第５，２６９，７７５号に更に詳細に記載されている。
【００７３】
バックシート
バックシート５２は、一般に、衣類に面する表面を形成するインサート５０の外側ライナー部分であり、インサート５０内に吸収かつ収容された排出物が、外側カバーを通って吸い上げられて、外側カバーを汚すのを防止する。ある状況では、バックシート５２は、実質的に液体に対して不透過性であるのが望ましくあり得る。
【００７４】
バックシート５２は、フィルム、不織布、又はフィルムと不織布との積層体で形成されてもよい。バックシート５２は、実質的に液体不透過性の積層体又はフィルムと不織布ウェブとの複合体で形成されてもよい。バックシート５２は、液体排出物を収容し、かつ外側カバー、外側衣類及び／又は着用者の環境から隔離するように、実質的に液体不透過性の不織布ウェブ、又は不織布ウェブと実質的に液体不透過性のフィルムとの積層体で形成されてもよい。同時に、インサート及び着用可能な吸収性物品の通気性を提供して、インサートと着用者の身体との間の領域の湿度を低減し、皮膚の水分過剰が原因で生じる場合がある皮膚のかぶれ及び／又は発疹の可能性を低減するのを助けるために、バックシート５２は蒸気透過性であってもよい。
【００７５】
バックシート５２を形成する材料は、約０．０１２ｍｍ（０．５ｍｉｌ）〜約０．０５１ｍｍ（２．０ｍｉｌ）の厚さを有する、熱可塑性フィルムなどの薄いプラスチックフィルムを含むことができる。好適なバックシートの材料はまた、蒸気を逃すのを可能にし、なおかつ液体が通過するのを防ぐ、通気性の良い材料であってもよい。好適な例には、Ｒｉｃｈｍｏｎｄ，ＶＡに拠点を置くＴｒｅｄｅｇａｒ  Ｃｏｒｐｏｒａｔｉｏｎにより製造され、商品名ＣＰＣ２、Ｘ１５３０６、Ｘ１０９６２、及びＸ１０９６４フィルムで販売されているものを挙げることができる。他の例には、Ｍｉｔｓｕｉ  Ｔｏａｔｓｕ  Ｃｏ．（Ｊａｐａｎ）により商品名ＥＳＰＯＩＲ  ＮＯで製造されているような、及びＥｘｘｏｎ  Ｃｈｅｍｉｃａｌ  Ｃｏ．（Ｂａｙ  Ｃｉｔｙ，ＴＸ）により商品名ＥＸＸＡＩＲＥで製造されているようなミクロ孔質フィルム、並びにＣｌｏｐａｙ  Ｃｏｒｐｏｒａｔｉｏｎ（Ｃｉｎｃｉｎｎａｔｉ，ＯＨ）により商品名ＨＹＴＲＥＬブレンドＰ１８−３０９７で製造されているようなモノリシックフィルムを挙げることができる。幾つかの追加の例には、ＰＣＴ国際公開特許ＷＯ  ９５／１６７４６号、並びに米国特許第５，９３８，６４８号、同第５，８６５，８２３号、及び同第５，５７１，０９６号に記載されているような、通気性の良い複合材料を挙げることができる。他の例では、バックシート５２は、エラストマーフィルム、発泡体、ストランド、又はこれら他の好適な材料と不織布若しくは合成フィルムとの組み合わせを含んでもよい。
【００７６】
特定の実施形態において、バックシートは、ＷＳＰ  ７０．５（０８）にしたがって、３７．８℃及び相対湿度６０％で測定して、約２０００ｇ／２４ｈ／ｍ２を超える、約３０００ｇ／２４ｈ／ｍ２を超える、約５０００ｇ／２４ｈ／ｍ２を超える、約６０００ｇ／２４ｈ／ｍ２を超える、約７０００ｇ／２４ｈ／ｍ２を超える、約８０００ｇ／２４ｈ／ｍ２を超える、約９０００ｇ／２４ｈ／ｍ２を超える、約１００００ｇ／２４ｈ／ｍ２を超える、約１１０００ｇ／２４ｈ／ｍ２を超える、約１２０００ｇ／２４ｈ／ｍ２を超える、約１５０００ｇ／２４ｈ／ｍ２を超える水蒸気透過度（ＷＶＴＲ）を有してもよい。インサートのバックシート５２は、従来の使い捨ておむつのバックシートのように着用可能物品の外表面を形成せず、むしろ外側カバーの材料の１つ以上の層（この層はそれ自体が、ある状況では、複合構造体のＷＶＴＲを低減するように作用する）で覆われるので、この特定用途においてはより高いＷＶＴＲが望ましくあり得る。
【００７７】
バックシート５２は、当該技術分野において既知の任意の好適な取り付け手段により、インサート５０のトップシート５１、吸収性コア又は任意のその他の要素に結合され得る。例えば、取り付け手段としては、接着剤の連続線若しくは連続層、接着剤の模様付き層、又は接着剤の分離した線、らせん、若しくは点の配列を挙げることが可能である。取り付け手段の一例は、米国特許第４，５７３，９８６号に開示されているような、接着剤フィラメントのオープンパターンネットワークを含む。他の好適な取り付け手段として、米国特許第３，９１１，１７３号、同第４，７８５，９９６号、及び同第４，８４２，６６６号に示される装置及び方法により例示されるような、らせん模様に渦を巻く接着剤フィラメントの幾つかの線が挙げられる。要件を満たすことが分かっている接着剤は、Ｈ．Ｂ．Ｆｕｌｌｅｒ  Ｃｏｍｐａｎｙ（Ｓｔ．Ｐａｕｌ，Ｍｉｎｎｅｓｏｔａ）により製造され、ＨＬ−１６２０及びＨＬ−１３５８−ＸＺＰとして市販されている。あるいは、取り付け手段は、熱接着、圧力接着、超音波接着、動的機械的接着、若しくは他の任意の好適な取り付け手段、又は当該技術分野で既知であるこれらの取り付け手段の組み合せを含むことができる。
【００７８】
上記の外側カバーは、伸縮して着用者の解剖学的特徴及び体の動きに適合することにより、着用者の排泄物の排出に起因する吸収、膨張、及び付加重量により一般に使い捨ておむつに与えられる構造負荷の大部分に耐えかつこれを支持するような材料及び構成体で構成され得ることは理解されるであろう。そのため、使い捨ておむつの内部構成要素に要求される強度と比べて、そのような外側カバーを使用する場合には、インサートの構造強度の要件が少なくなる可能性がある。したがって、本明細書に記載のような物品は、石油系の材料（例えば、ポリエチレン及びポリプロピレン）のような使い捨ておむつの製造で通常使用されるものとは異なる材料から製造される使い捨て吸収性インサートを包含することができる。例えば、上で特定された材料の他に、木材、綿、亜麻（亜麻布）、麻布、竹、又は他のセルロース繊維（例えば、紙）の製品で形成されたトップシート、バックシート、起立カフ及び／又は他の構成要素の１つ以上を備える使い捨て吸収性インサートが想到される。例えば、バックシート及び／又は起立カフにとって水性液体浸透性に対する耐性又は実質的な液体不透過性が望ましい場合、紙などの通常の親水性繊維で形成された材料に、皮膚適合性の油又はワックスなどの疎水性材料をコーティングする又は浸透させて、水性液体浸透性に対する所望の耐性を付与することができる。インサートを形成する材料のそれぞれは、水又は水溶液中に分散する、フラッシャブルである、生分解性である、及び／又は（好ましくは農業関連で使用可能な腐植土又は土壌改良に）コンポスタブルであるように選択されてもよい。
【００７９】
吸収性コア
インサート５０は、トップシート５１及びバックシート５２で形成される外被様構造体内に吸収性コアを備えてもよい。吸収性コアは、ほぼ圧縮性であり、順応性があり、着用者の皮膚に刺激がなく、並びに尿及び他のある種の身体排出物などの液体を吸収して保持できる、いかなる吸収性材料を含んでもよい。吸収性コアは、一般にエアフェルトと呼ばれている粉砕木材パルプ等といった、使い捨ておむつ及び他の吸収性物品に通常使用される多種多様な液体吸収性材料を含んでもよい。その他の好適な吸収性材料の例には、捲縮セルロース塊、コフォームを包含しているメルトブローンポリマー、化学的に剛化、変性、若しくは架橋されたセルロース繊維、ティッシュラップ及びティッシュ積層体が含まれるティッシュ、吸収性発泡体、吸収性スポンジ、超吸収性ポリマー、吸収性ゲル材料、又は他のいずれか既知の吸収性材料、又は材料の組み合わせが挙げられる。
【００８０】
吸収性コアは、液体獲得／分配材料、及び貯蔵材料を含んでもよい。一般に、獲得／分配材料は、比較的迅速な吸収特性及び吸上特性を有し得るが、限定された吸収能力を有してもよい。反対に、一般に、貯蔵材料は、比較的遅い吸収特性及び吸上特性を有し得るが、より大きな吸収能力を有してもよい。つまり、獲得／分配材料は、尿などの液体の流出を迅速に吸収及び分配する役割を果たし得る一方で、より大きな吸収能力を有する貯蔵材料は、獲得／分配材料からかかる液体を吸収して、それをインサートが交換され得るまでの必要な時間貯蔵する役割を果たし得る。
【００８１】
再使用可能な外側カバーなどの少なくとも１つの再使用可能な要素と、前記再使用可能な要素に脱着自在かつ機能的に接合されるように適応された使い捨て吸収性インサートなどの１つの使い捨て要素と、を含む吸収性着用可能物品が、見込みユーザー又は介護者が用途に適した各要素の変形物を選択できるように一緒に梱包されてもよい。例えば、梱包は、一緒に使用されるように適応された１つ又は複数の再使用可能な外側カバーと１つ又は複数の使い捨て吸収性インサートを収容してもよい。インサートは、所定の外側カバーと共に使用されるように特別に設計されてもよい。例えば、外側カバーは、特定の範囲の着用者に合わせてサイズが決められてもよく、インサートは、そのサイズの着用者による使用に特に相応しい寸法を有してもよい。あるいは、外側カバーは、その着用者側面に、インサートの衣服側面上の１つ又は複数の対応し相補的な締結要素が、機能するか又は位置が合うように特に適応されたタイプ、形状又は間隔を有する１つ又は複数の締結要素が配置されてもよい。又は、インサートの吸収能力は、物品が確実かつ安心な一晩の使用に適したものとなるように、所定のサイズの着用者からの十分に大量の尿を吸収し収容するように適応されてもよい。一般に、本明細書に開示された遠心分離保持能力試験により測定されたように、乳児又は幼児の着用者による使い捨てインサートの一晩の使用には、少なくとも約２００グラムの尿吸収能力が必要である。より典型的には、使い捨てインサートの望ましい一晩の能力は、少なくとも約２２５グラム、２５０グラム、３００グラム、又は３５０グラムであり得る。材料の使用量と、地球温暖化に影響を及ぼす可能性のある生産と関連したエネルギーを最小にするためには、インサートの吸収効率ができるだけ高いことが望ましい。一般に、使い捨て吸収性インサートの標準能力は、少なくとも約８．０ｇ／ｇであり、少なくとも約１０．０ｇ／ｇでよい。
【００８２】
本開示の様々な実施形態では、再使用可能な外側カバーと共に使用するように構成された使い捨て吸収性インサートは、遠心分離保持能力試験により測定された、少なくとも１５０グラム、少なくとも２００グラム、少なくとも２５０グラム、少なくとも３００グラム、少なくとも３５０グラム、少なくとも４００グラム、これらの値のいずれかの間の任意の整数グラム値、又はこれらの値のいずれかにより構成された任意の範囲のインサート吸収能力を有することができる。
【００８３】
本開示の様々な実施形態では、再使用可能な外側カバーと共に使用するように構成された使い捨て吸収性インサートは、６０グラム未満、５０グラム未満、４０グラム未満、３０グラム未満、２０グラム未満、これらの値のいずれかの間の任意の整数グラム値、又はこれらの値のいずれかにより構成された任意の範囲の吸収性インサート質量を有することができる。
【００８４】
本開示の様々な実施形態では、再使用可能な外側カバーと共に使用するように構成された使い捨て吸収性インサートは、インサート吸収能力と吸収性インサート質量の任意の組み合わせに基づいて、吸収性インサート質量に対するインサート吸収能力の比率として定義された統合インサート吸収能力を有することができる。例えば、再使用可能な外側カバーと共に使用するように構成された使い捨て吸収性インサートは、少なくとも７．０グラム／グラム、少なくとも８．０グラム／グラム、少なくとも９．０グラム／グラム、少なくとも１０．０グラム／グラム、又はこれらの値のいずれかにより構成された任意の範囲の統合インサート吸収能力を有することができる。
【００８５】
下に示した表２は、２つの現行市場吸収性物品と試験物品からの全吸収性インサートサンプルの試験からのインサート吸収能力、吸収性インサート質量、及び統合インサート吸収能力の試験データを示す。２つの現行市場製品は、ｇＤｉａｐｅｒ（サイズ大、ｇＤｉａｐｅｒｓ，Ｉｎｃ．ｏｆ  Ｐｏｒｔｌａｎｄ，ＯＲ，Ｕｎｉｔｅｄ  Ｓｔａｔｅｓによる、２０１０年４月にｗｗｗ．ｇｄｉａｐｅｒｓ．ｃｏｍから購入）、及びＧｒｏＢａｂｙ／Ｇｒｏ  Ｖｉａ（Ｔｈｅ  Ｎａｔｕｒａｌ  Ｂａｂｙ  Ｃｏ．ｏｆ  Ｂｏｚｅｍａｎ，ＭＴ，Ｕｎｉｔｅｄ  Ｓｔａｔｅｓより、２０１０年４月にｗｗｗ．ｔｈｅｎａｔｕｒａｌｂａｂｙｃｏ．ｃｏｍから購入）であった。
【００８６】
試験物品の吸収性インサートは、全長４００ミリメートル、全幅１４０ミリメートル、吸収性ゲル化材料１５グラム、及びセルロース系繊維約３グラムを有する本開示の実施形態により構成された。
【表２】
2013532518.tif 000004
【００８７】
表２の試験データでは、各タイプの吸収性インサートについて３つのサンプルを試験し、平均を報告した。吸収性インサート質量は、吸収性インサートをはかりで量ることにより測定された。インサート吸収能力は、本明細書に開示された遠心分離保持能力試験を使用することにより測定された。統合インサート吸収能力は、インサート吸収能力を吸収性インサート質量で割ることにより計算された。
【００８８】
吸収性コアは、多種多様な寸法及び形状（例えば、矩形、砂時計形、「Ｔ」字形など）に製造されてもよい。吸収性コアの形状及び構成は様々であり得る（例えば、吸収性コア又は他の吸収性構造体は、様々なキャリパーゾーン、親水性勾配、超吸収性勾配、又はより低い平均密度及びより低い平均坪量の獲得ゾーンを有してもよく、あるいは１つ以上の層又は構造体を含んでもよい）。吸収性コアとして使用される吸収性構造体の例には、米国特許第４，６１０，６７８号；同第４，６７３，４０２号；同第４，８３４，７３５号；同第４，８８８，２３１号；同第５，１３７，５３７号；同第５，１４７，３４５号；同第５，３４２，３３８号；同第５，２６０，３４５号；同第５，３８７，２０７号；及び同第５，６２５，２２２号に記載されているものを挙げることができる。
【００８９】
吸収性コアの全体的な寸法及び／又は厚さを低減し、それにより着用者の快適性を改善し、かつ汚れたインサートにより生じる処理可能な排泄物の量を低減するために、性能制約内で可能な最小量のコア材料を使用して吸収性コアを作製するのが望ましくあり得る。このような目的で、好適な吸収性コアの好適な材料及び構成の例が、同時係属米国特許出願第１２／１４１，１２２号、同第１２／１４１，１２４号、同第１２／１４１，１２６号、同第１２／１４１，１２８号、同第１２／１４１，１３０号、同第１２／１４１，１３２号、同第１２／１４１，１３４号、同第１２／１４１，１４１号、同第１２／１４１，１４３号、及び同第１２／１４１，１４６号に記載されているが、これらに限定されない。これらの出願は、超吸収性ポリマー粒子と組み合わされる、エアフェルト又は他の形態のセルロース繊維の必要性及びこれらの混入を最小限にする又は排除する吸収性コア構造（以下「実質的にエアフェルトを含まないコア」と称する）を一般的に記述している。エアフェルト及びその他のセルロース繊維は、使い捨ておむつの吸収性コアの吸収性充填剤として使用されてきた。そのような繊維は吸収性特性を有しており、吸収性コアにいくらかの吸収能力を付与するが、超吸収性ポリマー及び／又は吸収性ゲル材料の分散粒子を保持するための構造マトリックスを提供するためにも含まれる。そのような粒子の含有は吸収能力を強化する一方で、そのような粒子を適切に分散した状態に保つことは、使用中に粒子が液体を吸収して膨張したときに「ゲルブロッキング」して、吸収能力の損失をもたらすのを防止するために重要であり得る。エアフェルト又はその他のセルロース繊維を、超吸収性粒子のためのマトリックスとして含ませることは、ゲルブロッキングを低減又は防止するのに役立つ可能性がある。しかしながら、このことはまた、あらゆる液体を吸収する前にも吸収性コアに嵩を付与する。
【００９０】
実質的にエアフェルトのない部分を備える吸収性コアが、トップシート５１とバックシート５２の間に配置されてもよい。コアは、少なくとも部分的に基材で形成された層と、超吸収性ポリマー又は吸収性ゲル材料の分散した吸収性粒子と、分散吸収性粒子を捕捉し、かつ基材の少なくとも一部分に接着して、吸収性粒子を基材上に又は基材に近接して、及び基材に対して不動化する熱可塑性接着剤組成物と、を包含することができる。
【００９１】
本明細書に記載の外側カバー２０の特徴は、現在入手可能な全体として使い捨ておむつである多くのタイプと比べて、（外側衣類として又は他の衣類の下で）比較的改善された肌着のような（又は下着のような）密着、快適性及び外観を有する着用可能吸収性物品を提供する。そのような特性を有する外側カバー２０を、相当量のエアフェルト又はその他のセルロース繊維を組み込んだ吸収性コアを備えるインサート５０と共に使用すると、外側カバー２０によりもたらされる改善された肌着のような密着、快適性及び外観は、インサートの嵩高性により損なわれる可能性がある。したがって、外側カバー２０の改善された肌着のような密着、快適性及び外観のいくらか又は大部分を良好に保つために、すぐ上で引用された特許出願のつ以上に記載されるような、比較的薄い吸収性コアをもたらす特徴を有して、インサート５０の吸収性コアを構成するのが望ましくあり得る。
【００９２】
嵩の低い吸収性コアを提供するのに加えて、実質的にエアフェルトを含まないコアは、一般に、相当量のエアフェルト又はその他のセルロース繊維を含有する吸収性コアよりも可撓性であり得る。この高い可撓性は、使用中にコア及び関連インサートが着用者の身体の周囲により良好に適合できるようにして、着用可能物品１０の改善された快適性及び嵩高の小さい外観を提供することができる。
【００９３】
更に、エアフェルト又は他のセルロース繊維材料を少なくする又は排除することにより、実質的にエアフェルトを含まないコアは、製造中に消費される材料の量を低減し、梱包及び出荷されなければならない単位当たりの空隙の量（及びある状況では、重量）を低減するので、この点で資源を保護し、かつ、使用済みの／汚れたインサートの廃棄と関連して廃棄されなければならない材料及び嵩の量を低減する。
【００９４】
起立カフ
インサート５０はまた、その長さに沿って部分的に又は全体的に取り付けられる一対の長手方向起立カフ５３を備えてもよい。好適な長手方向起立カフ（種々の公開された例では「レッグカフ」、「バリアカフ」、「ガスケッティングカフ」等と定義されている）は、次の文献に記載されているがこれらに限定されないもののような材料及び構成体で形成され得る：米国特許第６，７８６，８９５号；同第６，４２０，６２７号；同第５，９１１，７１３号；同第５，９０６，６０３号；同第５，７６９，８３８号；同第５，６２４，４２５号；同第５，０２１，０５１号；及び同第４，５９７，７６０号；並びに同時係属の米国特許出願公開第２００７／０２３９１３０号及び米国特許出願第１１／１９５，２７２号。図３に示したように、起立カフ５３は、カフエッジ５８に沿って長手方向に配置されるカフ弾性体５８ａ、５８ｂの１つ以上のストランド又はストリップを備えてもよい。そのようなカフ弾性体５８ａ、５８ｂが、起立カフ５３を形成するウェブ材料に固定される前に予めピンと張られると、得られるこれに沿った長手方向張力は、起立カフ５３を形成するウェブ材料に図示のようなギャザーを寄せ、かつカフをインサートの本体から（図３に関しては上方に）延出させる、つまりカフを「起立」させる。この特徴により、起立カフ５３は、インサート５０を包含する物品が着用されると、排泄物が排出される解剖学的特徴の両側に長手方向に、着用者の身体に沿ってガスケット構造を形成する。こうして、起立カフ５３は、インサート５０の、そして結果として着用可能な吸収性物品の排出物閉じ込め能力を強化するように機能し得る。バックシート５２と同様に、起立カフ５３は実質的に液体不透過性ウェブで形成されて、液体排出物を収容し、かつ外側カバー、外側衣類及び着用者の環境から液体排出物を隔離することができる。同時に、インサート及び着用可能な吸収性物品の通気性をもたらして、インサートと着用者の身体との間の領域の湿度を低減し、皮膚の水分過剰が原因で生じる場合がある皮膚のかぶれ及び／又は発疹の可能性を低減するのを助けるために、起立カフ５３は蒸気透過性であってもよい。
【００９５】
別の例では、例えば、非限定的な例として、同時係属の米国公開出願第２００７／０２３９１３０号に記載のように、起立カフ５３を形成する材料は、バックシート５２を形成する材料と一体であってもよい。この特定の例では、図３を参照すると及びこれと関連して、連続した１枚の材料は、一方の起立カフ５３を形成し、インサートの下を包み込んでバックシート５２を形成し、反対側を上方に包み込んでもう一方の起立カフ５３を形成することができる。このラップアラウンド構造の例は、起立カフ５３と、バックシート５２と、を含む外側の液体を収容する面に沿ったシームを排除することにより、インサート５０に改善された液体閉じ込め能力を提供することができる。この構造の別の例は、米国特許第４，８０８，１７８号に図示及び記載されている。
【００９６】
しかしながら、ある状況では、製造上の制約及び／又は経済的制約がこのような構造を阻む場合がある、あるいは、起立カフ５３及びバックシート５２を形成する材料は異なる特性を有するのが望ましい場合がある。例えば、用途によっては、起立カフ５３が、依然として流体をはじき、かつ収容する傾向があり得るが、一般に、フィルムなどの実質的に液体不透過性の積層体よりも通気性の良い、近接して位置する疎水性繊維を含む不織布ウェブ材料で別の方法により形成される場合、起立カフ５３が実質的に液体不透過性であることが必要であると考えられない可能性がある。この場合、図３に示したように、起立カフ５３を形成する材料でインサートの下側にある長手方向角部の下を部分的にのみ包み込み、この材料を、最も外側の下側角部ではなく、インサートの下のシームで固定することにより、改善された強度及び液体閉じ込め特性を依然として付与することができる。この構成の一例は、米国特許出願番号第１１／１５８，５６３号、詳細にはその図１３と関連説明文に示され記載されている。
【００９７】
本明細書に記載されたような１つ又は複数の外側カバー及び１つ又は複数のインサートを含む商品が、２０１０年１月１４日に出願され、「Ａｒｔｉｃｌｅ  ｏｆ  Ｃｏｍｍｅｒｃｅ  Ｉｎｃｌｕｄｉｎｇ  Ｔｗｏ−Ｐｉｅｃｅ  Ｗｅａｒａｂｌｅ  Ａｂｓｏｒｂｅｎｔ  Ａｒｔｉｃｌｅ」と題し、Ｄｏｎａｌｄ  Ｃ．Ｒｏｅ（Ｐｒｏｃｔｅｒ  ＆  Ｇａｍｂｌｅ代理人整備番号１１５６４）による、同時係属米国特許出願番号１２／６８７，５３８号に記載されたように作製され販売されてもよい。例えば、１枚又は複数の関連インサートと共に、１〜１２枚、又はそれ以上の外側カバーを含むパッケージをアセンブルして、一緒にパッケージ化して販売してもよい。パッケージの中の各外側カバー及びインサートは、本明細書に記載される整合／相補的締結システム、向きの印及び／又は位置合わせ印を有してもよい。
【００９８】
そのような商品では、それぞれ便利な枚数の外側カバーとインサートのセットを構成するために、インサートと外側カバーとの比率を決定するのが望ましくあり得る。例えば、セットに含まれる１枚の外側カバーに対して、およそ半日又は１日分のインサートを含むのが好適であると考えられ得る。つまり、例えば、商品は、インサートと外側カバーの比率が１：１、２：１、３：１、４：１、５：１又は更には６：１で、インサートと、外側カバーと、を含んでもよい。したがって、例えば、セットを付随するパッケージは、１枚の外側カバーと、１、２、３、４、５又は６枚のインサート；２枚の外側カバーと、２、４、６、８、１０又は１２枚のインサート；３枚の外側カバーと、３、６、９、１２、１５又は１８枚のインサート、などを包含してもよい。初めての購入者のような特定の消費者向けの「スターター」セットとして、又は他の状況では、パッケージは２〜１４枚の外側カバーを含むのが望ましくあり得、この数は、洗濯が必要になる前に使用できる清潔な外側カバーのおよそ１日から１週間分の供給量に相当し得る。
【００９９】
また、本明細書に記載されているような吸収性インサートの任意の実施形態が、２０１０年１月１４日に出願され、「Ａｒｔｉｃｌｅ  ｏｆ  Ｃｏｍｍｅｒｃｅ  Ｉｎｃｌｕｄｉｎｇ  Ｔｗｏ−Ｐｉｅｃｅ  Ｗｅａｒａｂｌｅ  Ａｂｓｏｒｂｅｎｔ  Ａｒｔｉｃｌｅ」と題し、Ｄｏｎａｌｄ  Ｃ．Ｒｏｅ（Ｐｒｏｃｔｅｒ  ＆  Ｇａｍｂｌｅ代理人整備番号１１５６４）による、同時係属米国特許出願番号１２／６８７，５３８号に記載された任意の方法で非対称的に構成されてもよい。
【０１００】
遠心分離保持能力（ＣＲＣ）試験
遠心分離保持能力（ＣＲＣ）は、０．９％  ＮａＣｌ食塩水に３０分間浸漬し次に遠心分離に掛けた試料の流体保持能力の大きさである。この試験は、Ｗｏｒｌｄｗｉｄｅ  Ｓｔｒａｔｅｇｉｃ  Ｐａｒｔｎｅｒｓ  Ｓｔａｎｄａｒｄ  Ｔｅｓｔ  Ｍｅｔｈｏｄ  ＷＳＰ  ２４１．２（０９）、遠心分離後の食塩水中の流体保持能力の重量測定（Gravimetric Determination of Fluid Retention Capacity in Saline Solution after Centrifugation）に基づく。
【０１０１】
分析のため、試料は、ヒートシール可能な透水性無孔不織布から作製された袋に入れられる。袋材料の仕様は、ＷＳＰ  ２４１．２（０９）に示されている。試験する試料の長さ（Ｌ）と幅（Ｗ）を測定する。２×Ｌ＋５０ｍｍ×Ｗ＋２５ｍｍの袋材料片を切断する。袋材料をその幅を横切る線で半分に折り畳み、開いた２つの縁を縁から約３〜５ｍｍでヒートシールする。完成したバッグは、Ｌ＋２５ｍｍ×Ｗ＋２５ｍｍである。サンプルのための袋の他に、ブランクとして使用される同じ寸法の３つの袋を作製する。
【０１０２】
外側カバー材料試料の作製：外側カバー物品は開かれ、着用者側面が下向きの状態で配置される。はさみを使用して脚用ゴム糸を除去し、その結果、物品を平らに置くことができる。物品の大部分を構成する材料を代表するサンプリング領域の中心を識別し印をつけ、継ぎ目、留め金、ラベルなどがないことを確認する。液圧プレスと打抜型（方形７６．２ｍｍ±０．１ｍｍ角と深さ８ｍｍ）により、このマークを中心して物品の全ての層を貫通する試料を、試料の切断縁が物品の長手方向と横方向に平行と垂直になるように切断する。試料の乾燥質量を最小０．００１グラム単位で測定し記録する。試料の全ての層を適切なサイズの袋に入れ、残りの開いた縁をヒートシールする。試験する各試料の３つの複製を準備する。
【０１０３】
全体吸収性インサート試料の作製：サンプルを試験２時間前に約２３℃±２℃と相対湿度約５０％±２％で予め調整する。吸収性インサートは、着用者に面する表面を上に向けた状態で、折り重ねずに配置される。鋏を使って、物品が平坦に設置され得るように、約２ｃｍの間隔で、物品の長手方向縁部に沿って任意の弾性体を切断する。吸収性インサートをアルミホイル片上に置き、長手方向軸と横方向軸に沿って吸収性インサートを切断し４つの個別の試料にする。較正されたはかりで、適切なサイズの袋の重量の風袋を量る。試料、切断中にホイル上に落ちた材料とを風袋を量った袋に入れ、残りの開いた縁をヒートシールする。試料の乾燥質量を最小０．００１グラム単位で測定し記録する。この手順を繰り返して、残りの３つの試料の乾燥質量を得る。３つの複製吸収性インサートの試験の準備をする。
【０１０４】
全体外側カバー試料の作製：外側カバー全体の乾燥質量を最小０．００１グラム単位で測定し記録する。３つの複製外側カバーの試験の準備をする。
【０１０５】
試験手順
幾つかの袋又は試料を入れるのに十分な大きさの鍋を用意し、試料が完全に浸るまで鍋に袋と０．９％食塩水で満たす。試験する袋又は試料を食塩水の表面に置き、それらが沈む前に１分間濡れるようにする。袋の縁に置かれた重しを使用して、試料が溶液を自由に吸収できるまでサンプルが浸かったままになるようにしてもよい。３０分後に袋又は試料を食塩水から取り出して、すぐに、試料を２５０Ｇの遠心加速度にさらすことができる適切な遠心分離機（Ｂｌｏｃｋ  Ｓｃｉｅｎｔｉｆｉｃ，Ｂｏｈｅｍｉａ，ＮＹから入手可能なＣｌａｙ  Ａｄａｍｓ  Ｄｙｎａｃ  Ｃｅｎｔｒｉｆｕｇｅなど）のバスケット内に移す。遠心機内の試料は、着用者側面が疎水性でない限り着用者側面が外方に向くように向け、疎水性の場合は、着用者側面を内方に向けなければならない。袋又は試料を、適切な平衡になるように似た重量のサンプルが互いに両側になるように位置決めする。袋又は試料を３分±１０秒間２５０Ｇで遠心分離機にかける。次に、袋又は試料を取り出しすぐに秤量する。試料と袋、ブランク袋、又は袋なしの試料の湿潤重量を最小０．００１グラム単位で記録する。
【０１０６】
遠心分離後の３つの湿潤ブランク袋重量の平均を計算し（ｍｂ）、この値は、試料が袋なしに試験された場合は無視される。各試料（ｉ＝１、２及び３）について、次の式を使用して質量分率（ｇ／ｇ）として表される遠心分離保持能力（ｗｉ）を計算する。
【０１０７】
ｗｉ＝（（ｍｗｉ−ｍｂ）−ｍｓｉ）／ｍｓｉ
ここで、ｍｓｉは、グラムで表された乾燥試料の質量であり、ｍｗｉは、グラムで表された湿潤試料並びに袋又は袋なしの試料の質量である。吸収性インサートについて、４つの別個の試料として切断し試験した。乾燥試料の４つの個々の質量を合計してｍｓｉを求め、湿潤試料と袋の４つの個々の質量を合計してｍｗｉを求め、遠心分離後の平均湿潤ブランク袋質量の個々の質量を合計してｍｂを求める。これらの値を使用して全遠心分離保持能力（ｗｉ）値を計算する。３つの複製の平均遠心分離保持能力を最小０．００１（ｇ／ｇ）単位まで計算し報告する。
【０１０８】
本明細書に開示した寸法及び値は、記載された正確な数値に厳密に限定されるものとして理解されるべきでない。むしろ、特に断らないかぎり、そのようなそれぞれの寸法は、記載された値及びその値周辺の機能的に同等の範囲の両方を意味するものとする。例えば、「４０ｍｍ」として開示された寸法は、「約４０ｍｍ」を意味することを意図する。
【０１０９】
あらゆる相互参照又は関連特許若しくは特許出願を含む、本明細書に引用される文献は全て、明白に除外される、ないしは別の方法で限定されている場合を除いて、本明細書中にその全容を援用するものである。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、ある用語の任意の意味又は定義の範囲が、援用文献中の同じ用語の任意の意味又は定義と矛盾する場合には、本文書中で用語に与えられる意味又は定義が優先するものとする。
【０１１０】
以上、本発明の特定の実施形態を例示、記載したが、本発明の趣旨及び範囲から逸脱することなく他の様々な変更及び改変を行い得る点は、当業者には明らかであろう。したがって、添付した特許請求の範囲はそのような変更及び修正の全てを含み、上記のいかなる説明又は図面も本明細書の範囲を制限せず、添付の特許請求の範囲だけがこれらを制限するものとする。
【図１】
2013532518.tif 000005
【図２Ａ】
2013532518.tif 000006
【図２Ｂ】
2013532518.tif 000007
【図３】
2013532518.tif 000008
【図４】
2013532518.tif 000009
【国際調査報告】
2013532518.tif 000010
2013532518.tif 000011
2013532518.tif 000012